(57)【要約】【課題】壁組作業の作業効率を向上できる壁パネルの壁組方法を得る。【解決手段】壁パネル１６〜３６のうち、最も幅寸法が短い壁パネル１６を基準パネルとして最初に立設し、その後、床パネル１２の外周方向一方に沿って壁パネル２０〜３６を順番に立設する。このように壁パネル１６〜３６を立設すると、クレーンＣから最も遠い壁パネル２４を立設する際には、壁パネル３２や壁パネル３６が未だ立設されていない。このため、クレーンＣの方から壁パネル２４を充分に視認できる。これにより、効率よく壁組を行なうことができる。【選択図】図１
2007262724.tif 000002
【特許請求の範囲】
【請求項１】
各壁パネルの幅方向両端側で他の壁パネルが隣接して立設される建造物で、前記複数の壁パネルを立設する際の壁パネルの壁組方法であって、
前記複数の壁パネルのうちの何れか１つを他の壁パネルに先立って立設した後に、この最初に立設した壁パネルを基準として前記建造物の外周方向一方に沿って順番に他の壁パネルを立設することを特徴とする壁パネルの壁組方法。
【請求項２】
前記複数の壁パネルのうち、最初に立設される壁パネルの幅方向寸法が他の壁パネルよりも短いことを特徴とする請求項１に記載の壁パネルの壁組方法。
【請求項３】
最初に立設される壁パネルの幅方向に対して２番目に立設される壁パネルの幅方向が交差するように最初に立設される壁パネルを設定すると共に、２番目の壁パネルが立設された後に、２番目に立設した壁パネルを最初に立設した壁パネルに一体的に連結することを特徴とする請求項１又は請求項２に記載の壁パネルの壁組方法。
【請求項４】
前記複数の壁パネルのうち、最初に立設される壁パネルは前記建造物の高さ方向を軸方向とする軸周りに屈曲又は湾曲していることを特徴とする請求項１に記載の壁パネルの壁組方法。
【発明の詳細な説明】
【技術分野】
【０００１】
本発明は、建造物の施工時における壁パネルの壁組方法に関する。
【背景技術】
【０００２】
下記特許文献１に開示された建築物の施工方法では、出隅部及び入隅部に対応した外壁部を組み立てた後に、直線部分（全体的に平板状）の外壁部を出隅部及び入隅部に対応した外壁部の間に組み立てる。
【特許文献１】特開平５−１６３７７３号公報
【発明の開示】
【発明が解決しようとする課題】
【０００３】
しかしながら、この特許文献１に開示された建築物の施工方法では、直線部分（全体的に平板状）の外壁部を組み立てる際には既に出隅部及び入隅部に対応した外壁部が乱立している。このため、直線部分の外壁部を吊り上げるクレーン等の操縦席から、吊り上げた外壁部の組立位置や、実際に吊り上げた外壁部を目視するにあたり、乱立した外壁部が障害になる。このため、外壁部の組み立て、すなわち、壁組作業の効率が悪い。しかも、クレーン等を操作する作業者と、壁パネルの位置決めをする作業者とが互いに見難くなることから、互いの意思の疎通を図ることも困難になりやすい等、著しく作業の労力がかかっていた。
【０００４】
本発明は、上記事実を考慮して、壁組作業の作業効率を向上できる壁パネルの壁組方法を得ることが目的である。
【課題を解決するための手段】
【０００５】
請求項１に記載の本発明に係る壁パネルの壁組方法は、各壁パネルの幅方向両端側で他の壁パネルが隣接して立設される建造物で、前記複数の壁パネルを立設する際の壁パネルの壁組方法であって、前記複数の壁パネルのうちの何れか１つを他の壁パネルに先立って立設した後に、この最初に立設した壁パネルを基準として前記建造物の外周方向一方に沿って順番に他の壁パネルを立設することを特徴としている。
【０００６】
請求項１に記載の本発明に係る壁パネルの壁組方法では、複数の壁パネルのうちの何れか１つが他の壁パネルに先立って立設され、その後は、この最初に立設された壁パネルを基準として、建造物の外周方向の一方に沿って順番に他の壁パネルを立設される。このため、最も新しく立設された壁パネルの幅方向一端（既に立設された壁パネルが隣接しない方の側の端部）から最初に立設された壁パネルの幅方向他端までの間は連続して壁パネルが立設されていない。このため、既に立設された壁パネルが新たに立設される壁パネルを目視する際の障害になり難い。
【０００７】
請求項２に記載の本発明に係る壁パネルの壁組方法は、請求項１に記載の本発明において、前記複数の壁パネルのうち、最初に立設される壁パネルの幅方向寸法が他の壁パネルよりも短いことを特徴としている。
【０００８】
請求項２に記載の本発明に係る壁パネルの壁組方法では、最初に立設される壁パネルは他の壁パネルよりも幅方向寸法が短いため、他の壁パネルに比べて自立し易い。このため、最初の壁パネルを立設してから次の壁パネルを立設するまでの間、最初の壁パネルを立設状態で保持するための特別な構成が不要になる。
【０００９】
請求項３に記載の本発明に係る壁パネルの壁組方法は、請求項１又は請求項２に記載の本発明において、最初に立設される壁パネルの幅方向に対して２番目に立設される壁パネルの幅方向が交差するように最初に立設される壁パネルを設定すると共に、２番目の壁パネルが立設された後に、２番目に立設した壁パネルを最初に立設した壁パネルに一体的に連結することを特徴としている。
【００１０】
請求項３に記載の本発明に係る壁パネルの壁組方法では、最初に立設された壁パネルの幅方向に対して２番目に立設された壁パネルの幅方向が交差しており、しかも、２番目に立設された壁パネルが最初に立設された壁パネルに一体的に連結される。このため、最初に立設された壁パネルと２番目に立設された壁パネルとは互いに支え合う。これにより、最初に立設された壁パネルと２番目に立設された壁パネルとを立設状態で保持するための特別な構成が不要になる。
【００１１】
請求項４に記載の本発明に係る壁パネルの壁組方法は、請求項１に記載の本発明において、前記複数の壁パネルのうち、最初に立設される壁パネルは前記建造物の高さ方向を軸方向とする軸周りに屈曲又は湾曲していることを特徴としている。
【００１２】
請求項４に記載の本発明に係る壁パネルの壁組方法では、最初に立設される壁パネルは建造物の高さ方向を軸方向とする軸周りに屈曲又は湾曲しているため、幅方向が直線的な平板状の壁パネルに比べて自立し易い。このため、最初の壁パネルを立設してから次の壁パネルを立設するまでの間、最初の壁パネルを立設状態で保持するための特別な構成が不要になる。
【発明の効果】
【００１３】
以上説明したように、請求項１に記載の本発明に係る壁パネルの壁組方法では、立設する壁パネルを目視するにあたり既に立設された壁パネルが障害になり難く、円滑に効率よく壁パネルを立設できる。
【００１４】
請求項２に記載の本発明に係る壁パネルの壁組方法では、最初の壁パネルを立設してから次の壁パネルを立設するまで間、最初の壁パネルを立設状態で保持するための特別な構成が不要になるため、壁パネルを立設する工数を軽減でき、コストを安価にできる。
【００１５】
請求項３に記載の本発明に係る壁パネルの壁組方法では、最初に立設された壁パネルと２番目に立設された壁パネルとを立設状態で保持するための特別な構成が不要になるため、壁パネルを立設する工数を軽減でき、コストを安価にできる。
【００１６】
請求項４に記載の本発明に係る壁パネルの壁組方法では、最初に立設される壁パネルは高さ方向を軸方向とする軸周りに屈曲又は湾曲していることで基本的に自立でき、これによって、最初の壁パネルを立設状態で保持するための特別な構成が不要になるため、壁パネルを立設する工数を軽減でき、コストを安価にできる。
【発明を実施するための最良の形態】
【００１７】
＜第１の実施の形態の構成＞
図１には本発明の第１の実施の形態に係る壁パネル立設方法を施工工程の一工程として施工された建造物１０の概略が平面図により示されており、図７には建造物１０の概略が斜視図により示されている。なお、各図において建造物１０の天井部や屋根等に関しては図示を省略している。
【００１８】
図１及び図７に示されるように、建造物１０は床パネル１２を備えている。床パネル１２は基礎仕上げ、配筋工事が終了した土地に土台床根太工事、防湿工事、及び床組といった工程を経ることで形成されている。本実施の形態において床パネル１２は平面視で長方形の１隅側を更に長方形状に切り欠いた形状とされている。この長方形の切欠部分の短辺に対応した第１辺部１４には、基準パネルとなる壁パネル１６が立設されている。壁パネル１６は長手方向が建造物１０の高さ方向に沿い、幅方向が第１辺部１４に沿った平板状とされており、釘やボルト等の固定手段により第１辺部１４にて壁パネル１６が床パネル１２に固定されている。
【００１９】
また、第１辺部１４の一端から第１辺部１４に対して直交するように連続した床パネル１２の第２辺部１８には壁パネル２０が立設されている。壁パネル２０は長手方向が建造物１０の高さ方向に沿い、幅方向が壁パネル１６の幅方向に対して直交する方向に沿った平板状とされている。壁パネル２０は釘やボルト等の固定手段により第２辺部１８にて床パネル１２に固定されており、壁パネル２０が床パネル１２に固定された状態では、壁パネル２０の幅方向他端部が壁パネル１６の幅方向一端部近傍における厚さ方向一端側で壁パネル２０が壁パネル１６に隣接している。
【００２０】
さらに、第２辺部１８の一端から連続した床パネル１２の第３辺部２２には壁パネル２４が立設されている。壁パネル２４は長手方向が建造物１０の高さ方向に沿い、幅方向が壁パネル１６の幅方向に対して平行な平板状とされている。壁パネル２４は釘やボルト等の固定手段により第３辺部２２にて床パネル１２に固定されており、壁パネル２４が床パネル１２に固定された状態では、壁パネル２４の幅方向他端部近傍で壁パネル２４の厚さ方向一方の面（壁パネル１６と対向する側の面）が壁パネル２０の幅方向一端部に対向した状態で壁パネル２４が壁パネル２０に隣接している。
【００２１】
また、第３辺部２２の一端から連続すると共に床パネル１２の幅方向に沿って第２辺部１８とは反対側に位置する床パネル１２の第４辺部２６には壁パネル２８が立設されている。壁パネル２８は長手方向が建造物１０の高さ方向に沿い、幅方向が壁パネル２０の幅方向に対して平行な平板状とされている。壁パネル２８は釘やボルト等の固定手段により第４辺部２６にて床パネル１２に固定されており、壁パネル２８が床パネル１２に固定された状態では、壁パネル２８の幅方向他端部近傍で壁パネル２８の厚さ方向一方の面（壁パネル２０と対向する側の面）が壁パネル２４の幅方向一端部に対向した状態で壁パネル２８が壁パネル２４に隣接している。
【００２２】
さらに、第１辺部１４を介して第３辺部２２とは反対側で第４辺部２６の一端から連続すると共に、第１辺部１４や第３辺部２２に対して平行な床パネル１２の第５辺部３０には壁パネル３２が立設されている。壁パネル３２は長手方向が建造物１０の高さ方向に沿い、幅方向が壁パネル２４の幅方向に対して平行な平板状とされている。壁パネル３２は釘やボルト等の固定手段により第５辺部３０にて床パネル１２に固定されており、壁パネル３２が床パネル１２に固定された状態では、壁パネル３２の幅方向他端部が壁パネル２８の幅方向一端部近傍における厚さ方向一方の面（壁パネル２０と対向する側の面）に対向した状態で壁パネル３２が壁パネル２８に隣接している。
【００２３】
また、第５辺部３０及び第１辺部１４の双方に対して直交すると共に、一端が第１辺部１４の他端に繋がり他端が第５辺部３０の一端に繋がった第６辺部３４には壁パネル３６が立設されている。壁パネル３６は長手方向が建造物１０の高さ方向に沿い、幅方向が壁パネル２８の幅方向に対して平行な平板状とされている。壁パネル３６は釘やボルト等の固定手段により第６辺部３４にて床パネル１２に固定されており、壁パネル３６が床パネル１２に固定された状態では、壁パネル３６は幅方向他端部近傍の厚さ方向一方の面（壁パネル２８と対向する側の面）が壁パネル３２の幅方向一端部と対向した状態で隣接していると共に、壁パネル３６の幅方向一端部が第１辺部１４の幅方向他端部近傍における厚さ方向一方の面（壁パネル３２側の面）に対向した状態で隣接している。
【００２４】
ここで、本実施の形態では、第１辺部１４〜第６辺部３４までの各辺のうち、第１辺部１４が最も短く、このため、第１辺部１４〜第６辺部３４までの各辺にて立設された壁パネル１６〜壁パネル３６の各幅寸法のうち、壁パネル１６の幅寸法が最も短い。
【００２５】
＜第１の実施の形態の作用、効果＞
次に、壁パネル１６〜壁パネル３６の壁組工程の説明を通して本実施の形態の作用並びに効果について説明する。
【００２６】
本建造物１０では、基礎仕上げや配筋工事が終了した土地に、土台床根太工事や防湿工事が成される。このような工程を経た土地に床組が成されて床パネル１２が形成される。次いで、図１に示されるように、床パネル１２の長手方向一端部の側方で、且つ、床パネル１２の幅方向に沿った第４辺部２６と第６辺部３４との間にクレーンＣが配置される。壁組工程では先ず壁パネル１６がクレーンＣに吊り上げられ、床パネル１２の第１辺部１４の近傍に搬送される。
【００２７】
この状態で、図２に示されるように床パネル１２上で壁パネル１６が床パネル１２に沿って載置され、釘やボルト等の固定手段で壁パネル１６が床パネル１２に固定される。これにより、壁パネル１６が床パネル１２上に立設される。
【００２８】
次に、壁パネル２０がクレーンＣに吊り上げられ、床パネル１２の第２辺部１８の近傍に搬送される。この状態で、図３に示されるように床パネル１２上で壁パネル２０が第２辺部１８に沿って載置され、釘やボルト等の固定手段で壁パネル２０が床パネル１２に固定されると共に、釘やボルト等の固定手段によって壁パネル２０が壁パネル１６に連結固定される。これにより、壁パネル１６の幅方向一端部近傍における厚さ方向一方の側（第３辺部２２の側）で壁パネル２０の幅方向他端部が対向した状態で、壁パネル１６に隣接して壁パネル２０が床パネル１２上で立設される。
【００２９】
次に、壁パネル２４がクレーンＣに吊り上げられ、床パネル１２の第３辺部２２の近傍に搬送される。この状態で、図４に示されるように床パネル１２上で壁パネル２４が第３辺部２２に沿って載置され、釘やボルト等の固定手段で壁パネル２４が床パネル１２に固定されると共に、釘やボルト等の固定手段によって壁パネル２４が壁パネル２０に連結固定される。これにより、壁パネル２０の幅方向一端部の側方で壁パネル２４の幅方向他端部近傍における厚さ方向一方の面（壁パネル１６と対向する側の面）が対向した状態で、壁パネル２０に隣接して壁パネル２４が床パネル１２上で立設される。
【００３０】
次に、壁パネル２８がクレーンＣに吊り上げられ、床パネル１２の第４辺部２６の近傍に搬送される。この状態で、図５に示されるように床パネル１２上で壁パネル２８が第４辺部２６に沿って載置され、釘やボルト等の固定手段で壁パネル２８が床パネル１２に固定されると共に、釘やボルト等の固定手段によって壁パネル２８が壁パネル２４に連結固定される。これにより、壁パネル２４の幅方向一端部の側方で壁パネル２８の幅方向他端部近傍における厚さ方向一方の面（壁パネル２０と対向する側の面）が対向した状態で、壁パネル２４に隣接して壁パネル２８が床パネル１２上で立設される。
【００３１】
次に、壁パネル３２がクレーンＣに吊り上げられ、床パネル１２の第５辺部３０の近傍に搬送される。この状態で、図６に示されるように床パネル１２上で壁パネル３２が第５辺部３０に沿って載置され、釘やボルト等の固定手段で壁パネル３２が床パネル１２に固定されると共に、釘やボルト等の固定手段によって壁パネル３２が壁パネル２８に連結固定される。これにより、壁パネル２８の幅方向一端部における厚さ方向一方の面（壁パネル２０と対向する側の面）に壁パネル３２の幅方向他端部が対向した状態で、壁パネル２８に隣接して壁パネル３２が床パネル１２上で立設される。
【００３２】
次に、壁パネル３６がクレーンＣに吊り上げられ、床パネル１２の第６辺部３４の近傍に搬送される。この状態で、図７に示されるように床パネル１２上で壁パネル３６が第６辺部３４に沿って載置され、釘やボルト等の固定手段で壁パネル３６が床パネル１２に固定されると共に、釘やボルト等の固定手段によって壁パネル３６が壁パネル３２及び壁パネル１６の双方に連結固定される。これにより、壁パネル３２の幅方向一端部に壁パネル３６の幅方向他端部近傍における厚さ方向一方の面（第４辺部２６と対向する側の面）が対向すると共に、壁パネル３６の幅方向一端部が壁パネル１６の幅方向他端部近傍における厚さ方向一方の面（壁パネル３２の側の面）に対向した状態で壁パネル３２及び壁パネル１６の双方に隣接した状態で壁パネル３６が床パネル１２上で立設される。
【００３３】
すなわち、本実施の形態に係る壁組方法では、壁パネル１６が最初に立設され、その後、床パネル１２の外周部に沿った一方向（図１の矢印Ｒ方向）に沿って、壁パネル２０、壁パネル２４、壁パネル２８、壁パネル３２、壁パネル３６が順番に立設される。このように、各壁パネル１６〜３６が順番に立設されると共に、床パネル１２の長手方向一端部の側方で、且つ、床パネル１２の幅方向に沿った第４辺部２６と第６辺部３４との間に各壁パネル１６〜３６を搬送するクレーンＣが配置されることで、例えば、クレーンＣから最も遠い壁パネル２４を立設する際には、壁パネル３２や壁パネル３６が未だ立設されていないため、クレーンＣの方から壁パネル２４を充分に視認できる。このため、効率よく壁組を行なうことができる。
【００３４】
しかも、クレーンＣを操作する作業者から壁パネル２４等を位置決めする作業者を充分に視認できるため、壁パネル２４等を位置決めする作業者の意思をクレーンＣの作業者が充分に汲み取ることが可能となり、作業の労力を極めて効果的に軽減できる。
【００３５】
さらに、最初に立設される壁パネル１６は、他の壁パネル２４〜３６に比べて幅寸法が短い。このため、幅寸法が長い他の壁パネル２４〜３６は筋交い等を用いなくては自立させることが難しいのに比べて、壁パネル１６は筋交い等を用いなくても自立させることができる。これにより、コストを安価にできると共に、筋交い等、壁パネル１６を立設状態で保持するための特別な構成を組み立てたりするための工数を削減でき、壁組の工数を短縮できる。
【００３６】
さらに、壁パネル１６の次に立設された壁パネル２０は壁パネル１６に連結されることで壁パネル１６と壁パネル２０とが互いに支持しあう。これにより、壁パネル２０を立設状態で保持するために筋交い等を用いなくてもよく、コストを安価にでき、工数を短縮できる。壁パネル２０以降に立設される各壁パネル２４〜３６に関しても同様に筋交い等を用いなくても立設状態を保持できるため、コストを安価にでき、工数を短縮できる。
【００３７】
＜第２の実施の形態の構成＞
次に、本発明のその他の実施の形態について説明する。なお、以下の各実施の形態を説明するにあたり、前記第１の実施の形態を含めて説明している実施の形態よりも前出の実施の形態と基本的に同一の部位に関しては、同一の符号を付与してその詳細な説明を省略する。
【００３８】
図８には本発明の第２の実施の形態に係る壁パネル立設方法を施工工程の一工程として施工された建造物５０の概略が平面図により示されている。この図に示されるように、本建造物５０は壁パネル２０及び壁パネル２４を備えておらず、代わりに壁パネル５２、壁パネル５４、及び、基準パネルとなる壁パネル５６を備えている。
【００３９】
壁パネル５２は長手方向が建造物５０の高さ方向に沿い、幅方向が壁パネル１６の幅方向に対して直交する方向に沿った平板状とされ、第２辺部１８に沿って立設されている点では壁パネル２０と同じであるが、幅寸法が壁パネル２０よりも短い。このため、壁パネル５２は壁パネル２０と同様に、床パネル１２に固定された状態では幅方向他端部が壁パネル１６の幅方向一端部近傍における厚さ方向一端側で壁パネル１６に隣接しているが、幅方向一端部は第２辺部１８の第３辺部２２側の端部近傍まで到達していない。
【００４０】
一方、壁パネル５４は長手方向が建造物５０の高さ方向に沿い、幅方向が壁パネル１６の幅方向に対して平行な平板状とされ、第３辺部２２に沿って立設されている点では壁パネル２４と同じであるが、幅寸法が壁パネル２４よりも短い。このため、壁パネル５４は壁パネル２４と同様に、床パネル１２に固定された状態では幅方向一端部が壁パネル２８の幅方向他端部近傍における厚さ方向一方の面（壁パネル２０と対向する側の面）と対向した状態で隣接しているが、幅方向他端部は第３辺部２２の第２辺部１８側の端部近傍まで到達していない。
【００４１】
この第２辺部１８と第３辺部２２とが交わる角部に対応して壁パネル５６が設けられている。壁パネル５６は一対の壁部５８、６０を備えている。壁部５８及び壁部６０の各々の長手方向は建造物５０の高さ方向に沿っている。また、壁部５８の幅方向と壁部６０の幅方向とは互いに直交しており、壁部５８の幅方向は第２辺部１８に沿い、壁部６０の幅方向は第３辺部２２に沿っている。このように壁部５８と壁部６０とで構成されたアングル状の壁パネル５６は、第２辺部１８と第３辺部２２とが交わる角部とその近傍で釘やボルト等の固定手段によって床パネル１２に固定されている。
【００４２】
このように床パネル１２に壁パネル５６が固定された状態では、壁部５８の壁部６０とは反対側の端部は壁パネル５２の幅方向一端部と対向した状態で壁パネル５２に隣接し、壁部５８と壁パネル５２とが釘やボルト等の固定手段によって壁パネル５２に連結固定されている。これに対し、壁部６０の壁部５８とは反対側の端部は壁パネル５４の幅方向他端部と対向した状態で壁パネル５４に隣接しており、壁部６０と壁パネル５４とが釘やボルト等の固定手段によって壁パネル５４に連結固定されている。
【００４３】
＜第２の実施の形態の作用、効果＞
以上の構成の本建造物５０における壁組工程では、第２辺部１８の第４辺部２６とは反対側に配置されたクレーンＣにより、最初に壁パネル５６が吊り上げられ、第２辺部１８と第３辺部２２とが交わる角部近傍に壁パネル５６が搬送される。壁パネル５６は壁部５８が第２辺部１８に沿い、壁部６０が第３辺部２２に沿った状態で床パネル１２上に載置され釘やボルト等の固定手段にて床パネル１２に固定される。
【００４４】
次いで、クレーンＣにより壁パネル５４が吊り上げられ、壁部６０の壁部５８とは反対側の端部の側方に搬送される。床パネル１２上で壁パネル５４が第３辺部２２に沿って載置され、釘やボルト等の固定手段で壁パネル５４が床パネル１２に固定されると共に、釘やボルト等の固定手段によって壁パネル５４が壁パネル５６に連結固定される。これにより、壁パネル５４の幅方向他端部が壁部６０の壁部５８とは反対側の端部と対向した状態で、壁部６０に隣接して壁パネル５４が床パネル１２上で立設される。
【００４５】
その後、前記第１の実施の形態と同様に、壁パネル２８、壁パネル３２、壁パネル３６が順番に立設され、壁パネル３６が立設された後に壁パネル１６が立設される。壁パネル１６が立設された後には、壁パネル１６の幅方向一端部近傍における壁パネル１６の厚さ方向一方の側（第３辺部２２側）の面と、壁部５８の壁部６０とは反対側の端部との間に壁パネル５２がクレーンＣにより搬送される。壁パネル５２は第２辺部１８に沿った状態で床パネル１２上に載置され釘やボルト等の固定手段にて床パネル１２に固定されると共に、釘やボルト等の固定手段にて壁パネル１６及び壁パネル５６の双方へ固定される。
【００４６】
すなわち、本実施の形態に係る壁組方法では、壁パネル５６が最初に立設され、その後、床パネル１２の外周部に沿った一方向（図８の矢印Ｒ方向）に沿って、壁パネル２８、壁パネル３２、壁パネル３６、壁パネル１６、壁パネル５２が順番に立設される。このように、各壁パネル５６、５４、２８、３２、３６、１６、５２が順番に立設されると共に、第２辺部１８の第４辺部２６とは反対側にクレーンＣが配置されることで、例えば、壁パネル２８を立設する際には、壁パネル３６や壁パネル５２が未だ立設されていないため、クレーンＣの方から壁パネル２８を充分に視認できる。このため、効率よく壁組を行なうことができる。
【００４７】
さらに、最初に立設される壁パネル５６は平面視で略直角に屈曲したアングル状であるため、壁パネル５６は筋交い等を用いなくても自立させることができる。これにより、コストを安価にできると共に、筋交い等、壁パネル５６を立設状態で保持するための特別な構成を組み立てたりするための工数を削減でき、壁組の工数を短縮できる。
【００４８】
さらに、壁パネル５６の次に立設された壁パネル５４は壁パネル５６に連結されることで壁パネル５６に支持されるため、壁パネル５４を立設状態で保持するために筋交い等を用いなくてもよく、コストを安価にでき、工数を短縮できる。壁パネル５４以降に立設される各壁パネル２８〜５２に関しても同様に筋交い等を用いなくても立設状態を保持できるため、コストを安価にでき、工数を短縮できる。
【００４９】
なお、本実施の形態は、最初に立設される（すなわち、基準パネルとなる）壁パネル５６を構成する壁部５８の幅方向に対して壁部６０の幅方向が直交している（すなわち、壁パネル５６が建造物５０の高さ方向を軸方向とする軸周りに直角に屈曲している）構成である。
【００５０】
しかしながら、最初に立設する壁パネル５６を平面視で（すなわち、壁パネル５６が建造物５０の高さ方向を軸方向とする軸周りに）湾曲する構成であってもよい。また、壁部５８の幅方向に対して壁部６０の幅方向が成す角度を直角にせず、壁部５８の幅方向に対して壁部６０の幅方向が成す角度を鋭角や鈍角に設定してもよい。さらには、壁部５８と壁部６０との間に、幅方向が壁部５８、６０の双方の幅方向に対して傾斜した壁部を介在させた構成（すなわち、平面視で壁パネル５６の角部を面取りした形状）としてもよい。このような構成であっても、筋交い等を用いずに壁パネル５６を自立させることができる。
【００５１】
＜第３の実施の形態の構成＞
次に、本発明の第３の実施の形態について説明する。
【００５２】
図９には本実施の形態に係る壁パネル立設方法を施工工程の一工程として施工された建造物７０の概略が平面図により示されている。この図に示されるように、本建造物７０は壁パネル２０を備えておらず、代わりに基準パネルとなる壁パネル７２及び壁パネル７４を備えている。
【００５３】
壁パネル７２は長手方向が建造物７０の高さ方向に沿い、幅方向が壁パネル１６の幅方向に対して直交する方向に沿った平板状とされ、第２辺部１８に沿って立設されている点では壁パネル２０と同じであるが、幅寸法が壁パネル２４、２８、３２、３６の各々の幅寸法よりも短く、好ましくは、壁パネル１６の幅寸法よりも短い。この壁パネル７２は、幅方向一端部における厚さ方向一方の側（第４辺部２６の側）の面が壁パネル２４の幅方向他方の端部と対向した状態で壁パネル２４に隣接した状態で釘やボルト等の固定手段により床パネル１２及び第３辺部２２に固定されている。
【００５４】
一方、壁パネル７４は長手方向が建造物７０の高さ方向に沿い、幅方向が壁パネル１６の幅方向に対して直交する方向に沿った平板状とされ、第２辺部１８に沿って立設されている点では壁パネル２０と同じであるが、幅寸法が壁パネル２０よりも短く、壁パネル７４の幅寸法は、壁パネル２０の幅寸法と壁パネル７２の幅寸法との差に略等しく設定されており、換言すれば、壁パネル７２と壁パネル７４とで壁パネル２０を構成している。壁パネル７４は壁パネル１６の幅方向一端部近傍における厚さ方向一方の側（第３辺部２２の側）の面と壁パネル７２の幅方向他端部と間に設けられ、釘やボルト等の固定手段により床パネル１２、７２、１６に固定されている。
【００５５】
＜第３の実施の形態の作用、効果＞
以上の構成の本建造物７０における壁組工程では、第２辺部１８の第４辺部２６とは反対側に配置されたクレーンＣにより、最初に壁パネル７２が吊り上げられ、第２辺部１８の第３辺部２２側の端部近傍に壁パネル７２が搬送される。壁パネル７２は第２辺部１８に沿った状態で床パネル１２上に載置され釘やボルト等の固定手段にて床パネル１２に固定される。
【００５６】
次いで、壁パネル２４、壁パネル２８、壁パネル３２、壁パネル３６が順番に立設され、壁パネル３６が立設された後に壁パネル１６が立設される。壁パネル１６が立設された後には、壁パネル１６の幅方向一端部近傍における壁パネル１６の厚さ方向一方の側（第３辺部２２側）の面と、壁パネル７２の幅方向他端部と間に壁パネル７４がクレーンＣにより搬送される。壁パネル７４は第２辺部１８に沿った状態で床パネル１２上に載置され釘やボルト等の固定手段にて床パネル１２に固定されると共に、釘やボルト等の固定手段にて壁パネル１６及び壁パネル７２の双方へ固定される。
【００５７】
すなわち、本実施の形態に係る壁組方法では、壁パネル７２が最初に立設され、その後、床パネル１２の外周部に沿った一方向（図９の矢印Ｒ方向）に沿って、壁パネル２４、壁パネル２８、壁パネル３２、壁パネル３６、壁パネル１６、壁パネル７４が順番に立設される。このように、各壁パネル７２、２４、２８、３２、３６、１６、７４が順番に立設されると共に、第２辺部１８の第４辺部２６とは反対側にクレーンＣが配置されることで、前記第２の実施の形態と同様に、壁パネル２８を立設する際には、壁パネル３６や壁パネル７４が未だ立設されていないため、クレーンＣの方から壁パネル２８を充分に視認できる。このため、効率よく壁組を行なうことができる。
【００５８】
さらに、最初に立設される壁パネル７２は、他の壁パネル２４〜３６及び壁パネル７４に比べて幅寸法が短い。このため、幅寸法が長い他の壁パネル２４〜３６及び壁パネル７４は筋交い等を用いなくては自立させることが難しいのに比べて、壁パネル７２は筋交い等を用いなくても自立させることができる。これにより、コストを安価にできると共に、筋交い等、壁パネル７２を立設状態で保持するための特別な構成を組み立てたりするための工数を削減でき、壁組の工数を短縮できる。
【００５９】
さらに、壁パネル７２の次に立設された壁パネル２０は壁パネル７２に連結されることで壁パネル７２と壁パネル２０とが互いに支持しあう。これにより、壁パネル２０を立設状態で保持するために筋交い等を用いなくてもよく、コストを安価にでき、工数を短縮できる。壁パネル２０以降に立設される各壁パネル２４〜３６及び壁パネル１６、７４に関しても同様に筋交い等を用いなくても立設状態を保持できるため、コストを安価にでき、工数を短縮できる。
【図面の簡単な説明】
【００６０】
【図１】本発明の第１の実施の形態に係る壁パネルの壁組方法を説明する概略的な平面図である。
【図２】最初の壁パネルが立設された状態を示す斜視図である。
【図３】２番目の壁パネルが立設された状態を示す斜視図である。
【図４】３番目の壁パネルが立設された状態を示す斜視図である。
【図５】４番目の壁パネルが立設された状態を示す斜視図である。
【図６】５番目の壁パネルが立設された状態を示す斜視図である。
【図７】最後の壁パネルが立設された状態を示す斜視図である。
【図８】本発明の第２の実施の形態に係る壁パネルの壁組方法を説明する概略的な平面図である。
【図９】本発明の第３の実施の形態に係る壁パネルの壁組方法を説明する概略的な平面図である。
【符号の説明】
【００６１】
１６    壁パネル
２０    壁パネル
２４    壁パネル
２８    壁パネル
３２    壁パネル
３６    壁パネル
５２    壁パネル
５４    壁パネル
５６    壁パネル
７２    壁パネル
７４    壁パネル
【図１】
2007262724.tif 000003
【図２】
2007262724.tif 000004
【図３】
2007262724.tif 000005
【図４】
2007262724.tif 000006
【図５】
2007262724.tif 000007
【図６】
2007262724.tif 000008
【図７】
2007262724.tif 000009
【図８】
2007262724.tif 000010
【図９】
2007262724.tif 000011